(57)【要約】【課題】組み立て作業を簡単に行うことができ、さらには、収納スペースの状況に合わせて自在に収納スペースに合わせることを可能とする。【解決手段】脚部１０と、脚部１０同士を横方向に接続する接続部２０とを備えたフレーム２と、そのフレーム２内に収納される収納箱３とから構成されるプラスチック製の収納ケース１において、脚部１０は収納箱の収納数に応じた数の継手部１１０を有し、この継手部１１０の一方に弾性変形することにより脚部内側に向けて変位し得る係止片１１２を有し、継手部１１０の他方に、係止片１１２を脚部外側に向けて突出させる係止孔１１４が設けられている。【選択図】　　　図１
2004049398.tif 000002
【特許請求の範囲】
【請求項１】
左右に一対の中空柱状の脚部を前後に配置し、各脚部を横方向に接続して収納スペースを設けたフレームと、そのフレーム内に収納される収納箱とから構成される多段式プラスチック製収納ケースにおいて、
上記脚部は収納箱の収納数に応じた段数の継手部を有し、この継手部の雄側に、接続する際に弾性変形して脚部内側に向けて変位し得る係止片を有し、継手部の雌側に、その係止片の復元力によって係合し得る係止孔が設けられていることを特徴とする多段式プラスチック製収納ケース。
【請求項２】
上記係止片は、収納ケースのフレームを脚部で分解する際に押圧されることにより係止を解除する操作体を兼ねていることを特徴とする請求項１記載の多段式プラスチック製収納ケース。
【請求項３】
上記雄側の継手部の外壁と、雌側の継手部の内壁とを線接触させるための突条部が脚部上下方向に形成されていることを特徴とする請求項１又は２記載の多段式プラスチック製収納ケース。
【請求項４】
脚部の上端部に架設される蓋体を有し、この蓋体の下面に、前後方向に形成される補強リブと、この補強リブと直交する方向であって上記蓋体の前面端部に金属製の補強材が設けられていることを特徴とする請求項１乃至３のいずれかに記載の多段式プラスチック製収納ケース。
【請求項５】
上記フレームの一部に回転物を有するキャスターが切り離し可能に一体成形され、フレームの底部にそのキャスターの回転軸を取り付けるキャスター保持部が設けられていることを特徴とする請求項１乃至４のいずれかに記載のプラスチック製収納ケース。
【発明の詳細な説明】
【０００１】
【発明の属する技術分野】
本発明は、複数の収納箱を備えた多段式プラスチック製の収納ケースに関するものである。
【０００２】
【従来の技術】
従来の衣類等を整理・収納するために多段式のプラスチック製収納ケースが使用されており、この収納ケースは、一般に格子状に成形されたフレームと、そのフレームの各段に挿入される収納箱とを備えている。しかしながら、上記収納ケースは定型サイズであって予め箱体に組まれているため、製造メーカーから販売店に納入する際や、その収納ケースを購入したユーザーが持ち帰るときにかさばって搬送しにくく、また、収納スペースに合った収納ケースが見つからないという問題がある。
【０００３】
そこで、フレームの脚部を継ぎ足すことのできる収納ケースが提案され、使用時にその脚部を結合することによりフレームを組み立てるようにしたものが提案されている。
【０００４】
【発明が解決しようとする課題】
しかしながら、上記に提案されている収納ケースは、中空柱状の脚部に若干サイズの小さい中空柱状の脚部を圧入することにより脚部を継ぎ足すものとなっており、組み立てが容易でない。また、一度継ぎ足すと簡単に抜くことが出来ないようになっており、上記継ぎ足し式の収納ケースでは搬送性は改善されたものの、収納スペースの状況に合わせて自在に収納ケースの形状を対応させるという点については何ら改善されていない。
【０００５】
よって、本発明は組み立て作業を簡単に行うことができ、さらには、収納スペースに対応し得る多段式プラスチック製収納ケースを提供するものである。
【０００６】
【課題を解決するための手段】
本発明は、左右に一対の中空柱状の脚部の脚部を前後に配置し、各脚部を横方向に接続して収納スペースを設けたフレームと、そのフレーム内に収納される収納箱とから構成される多段式プラスチック製収納ケースにおいて、上記脚部は収納箱の収納数に応じた段数の継手部を有し、この継手部の雄側に、接続する際に弾性変形して脚部内側に向けて変位し得る係止片を有し、継手部の雌側に、その係止片の復元力によって係合し得る係止孔が設けられたものである。
【０００７】
この収納ケースは、上記継手部の係止片を弾性変形させることにより、上記係止片を上記係止孔に係合させたり、この係合を解除させたりして、上記継手部の連結及び分離を行う。そして、上記収納箱の段数を上記収納スペースに合わせて決定し、その段数に応じた数の継手部を連結することにより、上記収納ケースの高さを上記収納スペースに収まるよう調節する。すなわち、上記係止片を上記係止孔に係合させたり解除させたりするだけで上記収納ケースの組み立て作業を行い、かつ、上記収納ケースの高さを上記収納スペースに合わせるよう調節する。
【０００８】
なお、上記の「その収納数に応じた段数の継手部」とは、収納箱の数をｎとするとき、ｎ−１の値を継手部の段数とする。
【０００９】
また、請求項２の発明のように、上記係止片が、フレームの脚部を分解する際に押圧されることにより係止を解除する操作体を兼ねているようにすると、操作体を別部品で構成する必要がなく、継手部の構造を簡素化することができる。
【００１０】
なお、請求項３のように、上記雄側の継手部の外壁と、雌側の継手部の内壁とを線接触させるための突条部が脚部上下方向に形成されるようにすると、継手部の連結及び分離の際に生ずる接触抵抗は、継手部の雄側と雌側とが全面的に接触しているときと比較して減少し、継手部の連結及び分離の作業がより簡単となる。
【００１１】
請求項４の発明は、上記プラスチック製ケースにおいて、脚部の上端部に架設される蓋体を有し、この蓋体の内面に、前後方向に形成される補強リブと、この補強リブと直交する方向であって上記蓋体の前面端部に金属製の補強材が設けらたものである。
【００１２】
この場合、上記蓋体には、前後方向に補強リブが形成されているため、上記蓋体の上下方向の湾曲が阻止される。また、金属製の上記補強材が上記蓋体の前面端部に上記補強リブと直交する方向に設けられているため、特に湾曲する可能性の高い上記蓋体の前面端部において、上記蓋体が左右方向において下向きの凸形状に湾曲することを防止しつつ、前後方向、特に脚部から前側に突出している蓋体が先下がりに変形することも防止する。
【００１３】
なお、請求項５のように、上記フレームの一部に回転物を有するキャスターが切り離し可能に一体成形され、フレームの底部にそのキャスターの回転軸を取り付けるキャスター保持部が設けられているようにすると、キャスターを別途に作製する必要がないため、製造の手間を省き、コストの削減を図ることができる。
【００１４】
【発明の実施の形態】
本発明の実施形態について、図１〜図９を用いて説明する。ただし、本発明は以下の実施形態に限定されることはない。
【００１５】
第一実施形態（図１〜図８参照）
まず、図１、図２を用いて、本実施形態の収納ケース１の全体構成を説明する。
【００１６】
図１は収納ケース１の右側面図、図２は収納ケース１の要部正面図である。
【００１７】
収納ケース１は、フレーム２と、収納箱３と、蓋体３０と、キャスター４０とを備えている。
【００１８】
フレーム２は、脚部１０と接続部２０とを備え、脚部１０は長方体の縦辺に沿って前後左右に計四カ所に立設され、接続部２０は上記長方体の横辺と平行して上記脚部１０同士を接続するよう構成されている。そして、接続部２０と脚部１０とで区切られた空間には収納箱３が収納される。なお、フレーム２の素材はフレーム２として所望の合成が得られる合成樹脂、例えばポリエチレン、ポリプロピレン等のオレフィン系素材や塩化ビニル等で構成されている。また、収納箱３の前面には把手３１が形成されており、前側に引き出し可能なようになっている。
【００１９】
以下各部の構成について説明する。
【００２０】
各脚部１０は、各々二段の継手部１１０を有している。この継手部１１０は、収納箱３の数に応じて変化し、収納箱３の数がｎ個とすると、継手部１１０は（ｎ−１）段存在するようになっている。例えば、本実施形態の場合、収納箱３の数が三個であるので、継手部１１０は二段となる。
【００２１】
なお、蓋体３０は各脚部１０の上端部を架設され、キャスター４０はフレーム２の底部に設置されている。
【００２２】
以下、図３及び図４を用いて脚部１０及び接続部２０の詳細につき説明する。なお、図３及び図４は、継手部１１０間の脚部１０及びその部分の脚部１０を連結する接続部２０を表した図であり、図３はその側面図、図４は正面図の一部である。
【００２３】
脚部１０は中空の柱状に形成され、その上端部には雄部１１１、下端部近傍には係止孔１１４が形成されている。雄部１１１は、脚部１０より横断面積が小さくなっており、上記雄部１１１及び係止片１１２を脚部１０の内側に弾性変形させることにより脚部１０の下端に嵌合可能となっている。また、雄部１１１には係止片１１２と突条部１１３とが形成されている。係止片１１２は係止孔１１４に嵌着可能、すなわち継手可能となっている。なお、突条部１１３の詳細については図５（ａ）（ｂ）を用いて後述する。
【００２４】
接続部２０は、脚部１０の下端部で脚部１０同士を連結するよう成形されており、脚部１０の近傍部分には、キャスター保持部２２が設けられ、この部分にキャスター４０が軸部４２を中心に回転するよう接続することが可能となっている。
【００２５】
次に図５（ａ）（ｂ）を用いて、脚部１０の継手部１１０を説明する。
【００２６】
継手部１１０は、雄部１１１と、係止片１１２と、突条部１１３と、係止孔１１４で構成されている。そして、雄部１１１は、下記の状態で脚部１０内壁に嵌合している。雄部１１１の一端（図５（ａ）（ｂ）では右端）は、係止片１１２が係止孔１１４から外側（図５（ａ）（ｂ）では右側）に向けて突出するよう係止孔１１４に係合する状態で脚部１０内壁に接触している。また、他方では突条部１１３が脚部１０内壁に接触している。なお、突条部１１３は、上下方向に伸びるリブが形成されることにより設けられ、脚部１０内壁に線接触している。また、係止片１１２を押して雄部１１１及び係止片１１２を脚部１０内側に向けて弾性変形させることにより、係止片１１２と係止孔１１４との係合を解除し、雄部１１１を脚部１０内壁から引き抜くこと、すなわち、継手部１１０の分離を行うことが可能となっている。そして、継手部１１０の連結は、雄部１１１及び係止片１１２を脚部１０内側に向けて弾性変形させながら雄部１１１を脚部１０内壁に嵌合させ、係止片１１２が係止孔１１４と対応する位置で上記変形が復元することにより、係止片１１２と係止孔１１４とが嵌合し、雄部１１１が脚部１０に嵌着することで行われる。
【００２７】
図６は、蓋体３０の内面を示した斜視図であり、蓋体３０には、補強材嵌着部３１、補強材３２、補強リブ３３及び嵌着孔３４とを備えている。
【００２８】
補強リブ３３は、蓋体の前後方向に伸びるように形成されている。また、蓋体３０の前面端部には、補強リブ３３と直交する方向に金属製の補強材３２が備えられている。なお、この補強材３２は、補強材嵌着部３１及び補強リブ３３に設けられた狭持部３５で狭持されている。また、嵌着孔３４は、脚部１０の上端に位置する係止片１１２と係合することにより、蓋体３０は脚部１０の上端部に架設可能となっている。
【００２９】
図７は、フレーム２を底部から見た図である。フレーム２は略長方形の枠に形成されている。そして、前後方向（図７においては左右方向に該当）に設置された接続部２０の略中間部には、当該接続部２０同士を連結する連結部２１が形成され、接続部２０の強度を補強している。なお、連結部２１はキャスター４０を一体に成形し、キャスター４０を別途に作製する手間を省いてコスト削減を図っている。また、キャスター４０は連結部２１から切り離し、図８（ａ）（ｂ）に示すとおり、若干括れたＵ字型形状のキャスター保持孔２３の周縁に軸部４２を嵌着させることにより、キャスター４０のローラー４１が軸部４２を中心に回転可能なようフレーム２に接続される。なお、図７において、脚部１０及び接続部２０の位置関係については、上述にて説明済みのため、符号のみを付してその説明を省略する。
【００３０】
この収納ケース１を用いると、雄部１１１及び係止片１１２を弾性変形させることにより、係止片１１２を係止孔１１４に係合したり、この係合を解除させたりして、継手部１１０の連結及び分離を行うことが可能となる。そして、収納箱３の収納数を収納スペースに合わせて決定し、その数に応じた段数の継手部１１０を連結することにより、収納ケース１の高さを収納スペースに収まるよう調節することが可能となる。すなわち、係止片１１２を係止孔１１４に係合させたり解除させたりするだけで収納ケース１の組み立て作業を行い、かつ、収納ケース１の高さを収納スペースに合わせるよう調節する。よって、簡単な作業で、収納ケース１の高さを収納スペースの状況に合わせて自在に調節することが可能となる。
【００３１】
また、係止片１１２を押して雄部１１１及び係止片１１２を弾性変形させることにより、係止片１１２と係止孔１１４との係合を解除し、雄部１１１を脚部１０内壁から引き抜くことが可能となっている。すなわち、上記係止片１１２は、収納ケース１を分解する際に係止片１１２と係止孔１１４との係止を解除するための操作体をも兼ねているため、操作体を別部品で構成する必要がなく、継手部１１０の構造を簡素化することができる。
【００３２】
さらに、突条部１１３は、脚部１０内壁に線接触しているため、継手部１１０の連結及び分離の際に生ずる接触抵抗は、雄部１１１と脚部１０の内壁とが全面的に接触しているときと比較して減少し、継手部１１０の連結及び分離の作業をより簡単に行うことが出来る。
【００３３】
なお、蓋体３０には、前後方向に補強リブ３３が形成されているため、蓋体３０の上下方向の湾曲が阻止される。また、金属製の補強材３２が、補強リブ３３と直交する方向に設けられているため、特に湾曲する可能性の高い蓋体３０の前面端部において、蓋体３０の左右方向の湾曲を阻止する。よって、蓋体３０の左右方向について特にその前面端部において強力に補強を図りつつ、上下方向への幅方向の湾曲をも補強することが可能となる。
【００３４】
第２実施形態（図９（ａ）、（ｂ）参照）
以下の実施形態において、第１実施形態と同一部分には同一符号を付して示し、その重複説明を省略する。
【００３５】
脚部１０の内壁の内、突条部１１３と接触する側の面には、内壁リブ１１５が設けられている。内壁リブ１１５は、上下方向に伸びる方向に設置され、突条部１１３と接触するようになっている。
【００３６】
この構造によれば、脚部１０の成形加工時において、金型を抜くときの作業のしやすさから脚部１０上部より下部の方の断面積を広くする場合が多いが、このような場合においても、確実に突条部１１３と内壁リブ１１５とを接触させることができるため、継手部１１０のぐらつきを防止することが出来る。
【００３７】
また、突条部１１３は直接脚部１０内壁面と接触しないため、直接脚部１０内壁面が摩耗することがなく、使用時の耐久性が向上する。
【００３８】
その他実施形態
（１）　必ずしも補強材３２は、狭持部３５で狭持する必要はない。例えば、狭持部３５の代りに挿通孔を設け、補強材３２を当該挿通孔に挿通させることにより、上記補強材３２と上記補強リブ３３とを直交させるようにしてもよい。
【００３９】
（２）　係止片１１２の形状は、必ずしも雄部１１１に一体に形成する必要はない。例えば板ばね等で構成することも可能である。
【００４０】
【発明の効果】
以上のように本発明の収納ケースは、上記継手部の係止片を弾性変形させることにより、上記係止片を上記係止孔に係合させたり、この係合を解除させたりして、上記継手部の連結及び分離を行うことができ、上記収納ケースの高さを上記収納スペースに合わせるよう調節することが可能となる。よって、簡単な作業で、収納ケースの高さを収納スペースの状況に合わせて自在に調節することが可能となる。
【図面の簡単な説明】
【図１】第一実施形態にかかる収納ケースの右側面図である。
【図２】第一実施形態にかかる収納ケースの要部正面図である。
【図３】第一実施形態にかかるフレームの要部右側面図である。
【図４】第一実施形態にかかるフレームの要部正面図である。
【図５】（ａ）は、第一実施形態にかかる脚部の継手部を示した断面図であり、（ｂ）は（ａ）のＡ−Ａ断面図である。
【図６】第一実施形態にかかる蓋体の要部を示した斜視図である。
【図７】第一実施形態にかかるフレームを下から見た図である。
【図８】第一実施形態にかかるキャスターをフレームに取り付ける状況を示した図である。
【図９】（ａ）は、第二実施形態にかかる脚部の継手部を示した一部断面図であり、（ｂ）は（ａ）のＢ−Ｂ断面図である。
【符号の説明】
１　　　収納ケース
２　　　フレーム
３　　　収納箱
１０　脚部
２０　接続部
２２　キャスター保持部
３０　蓋体
３２　補強材
３３　補強リブ
４０　キャスター
１１０　　　　継手部
１１２　　　　係止片
１１３　　　　突条部
１１４　　　　係止孔
【図１】
2004049398.tif 000003
【図２】
2004049398.tif 000004
【図３】
2004049398.tif 000005
【図４】
2004049398.tif 000006
【図５】
2004049398.tif 000007
【図６】
2004049398.tif 000008
【図７】
2004049398.tif 000009
【図８】
2004049398.tif 000010
【図９】
2004049398.tif 000011